【事件の表示】
　特願２０１７−５０８６３３「指紋認証装置、方法、プログラム、及び記録媒体」拒絶査定不服審判事件〔平成３０年　１月　４日国際公開、ＷＯ２０１８／０００７６６、平成３０年１０月　４日国内公表、特表２０１８−５２９１３１〕について、次のとおり審決する。
【結　論】
　本件審判の請求は、成り立たない。
【理　由】
第１　手続の経緯
　本願は、２０１６年（平成２８年）１２月２０日（パリ条約による優先権主張外国庁受理２０１６年６月３０日、中国）を国際出願日とする出願であって、平成２９年２月１５日に手続補正がされ、平成３０年９月１０日付けで拒絶の理由が通知され、同年１２月１０日に意見書が提出されたが、平成３１年４月１日付けで拒絶査定がされ、これを不服として令和１年７月３０日に審判請求がされ、同時に手続補正がされたものである。
第２　令和１年７月３０日にされた手続補正についての補正の却下の決定
［補正の却下の決定の結論］
　令和１年７月３０日にされた手続補正を却下する。
［理由］
１　本件補正の内容
　令和１年７月３０日にされた手続補正（以下、「本件補正」という。）は、特許請求の範囲を補正対象とし、平成２９年２月１５日付け手続補正書の特許請求の範囲の請求項１の記載を、本件補正後の請求項１の記載にする補正事項を含むものであり、本件補正前と本件補正後の請求項１の記載は次のとおりである。（下線部は、補正箇所である。）
（本件補正前の請求項１）
　指紋センサー、少なくとも２つの湿度検出電極、及び処理モジュールを備える指紋認証装置であって、
　前記指紋センサーは、前記処理モジュールに接続され、前記少なくとも２つの湿度検出電極は、前記処理モジュールに接続され、前記少なくとも２つの湿度検出電極は、前記指紋センサーの予め設定された範囲に位置し、
　前記指紋センサーは、ユーザの指が前記指紋センサー及び前記少なくとも２つの湿度検出電極に触れる場合、前記処理モジュールに指紋信号を出力するためのものであり、
　前記処理モジュールは、ユーザの指が前記指紋センサー及び前記少なくとも２つの湿度検出電極に触れる場合、特徴値を取得するためのものであり、前記特徴値は、前記少なくとも２つの湿度検出電極の間の抵抗値に正相関し、
　前記処理モジュールは、更に、前記特徴値に整合される指紋認証パラメータを確定し、確定された指紋認証パラメータ及び前記指紋信号によって、指紋認証を行うためのものである、ことを特徴とする指紋認証装置。
（本件補正後の請求項１）
　指紋センサー、少なくとも２つの湿度検出電極、及び処理モジュールを備える指紋認証装置であって、
　前記指紋センサーは、前記処理モジュールに接続され、前記少なくとも２つの湿度検出電極は、前記処理モジュールに接続され、前記少なくとも２つの湿度検出電極は、前記指紋センサーの予め設定された範囲に位置し、
　前記指紋センサーは、ユーザの指が前記指紋センサー及び前記少なくとも２つの湿度検出電極に触れる場合、前記処理モジュールに指紋信号を出力するためのものであり、
　前記処理モジュールは、ユーザの指が前記指紋センサー及び前記少なくとも２つの湿度検出電極に触れる場合、特徴値を取得するためのものであり、前記特徴値は、前記少なくとも２つの湿度検出電極の間の抵抗値に正相関し、
　前記処理モジュールは、更に、前記特徴値に整合される指紋認証パラメータを確定し、確定された指紋認証パラメータ及び前記指紋信号によって、指紋認証を行うためのものであ
り、
　
前記処理モジュールは、更に、前記指紋認証パラメータ及び前記指紋信号によって、指紋画像を生成し、前記指紋画像に対して特徴を抽出し、特徴情報を取得し、前記特徴情報を予め保存された特徴情報に整合するためのものである
２　補正の適否
（１）補正の目的について
　上記補正事項は、補正前の請求項１に記載した発明特定事項である「処理モジュール」を、「前記処理モジュールは、更に、前記指紋認証パラメータ及び前記指紋信号によって、指紋画像を生成し、前記指紋画像に対して特徴を抽出し、特徴情報を取得し、前記特徴情報を予め保存された特徴情報に整合するためのものである」と限定するものであり、補正前の請求項１に記載された発明と補正後の請求項１に記載される発明の産業上の利用分野及び解決しようとする課題は同一であるから、特許請求の範囲の減縮を目的とするものであり、特許法第１７条の２第５項第２号の規定に適合する。
（２）独立特許要件について
　本件補正は、特許請求の範囲の減縮を目的とする補正事項を含むから、本件補正後の請求項１に記載された発明が、特許出願の際独立して特許を受けることができるものであるか否か（特許法第１７条の２第６項において準用する同法第１２６条第７項の規定に適合するか否か）について以下に検討する。
（２−１）本件補正発明
　本件補正後の請求項１に係る発明（以下「本件補正発明」という。）は、次のとおりのものである。
　なお、本件補正発明の各構成の符号は、説明のために当審において付与したものであり、以下、構成Ａないし構成Ｄと称する。
（本件補正発明）
（Ａ）指紋センサー、少なくとも２つの湿度検出電極、及び処理モジュールを備える指紋認証装置であって、
（Ｂ１）前記指紋センサーは、前記処理モジュールに接続され、
（Ｃ１）前記少なくとも２つの湿度検出電極は、前記処理モジュールに接続され、
（Ｃ２）前記少なくとも２つの湿度検出電極は、前記指紋センサーの予め設定された範囲に位置し、
（Ｂ２）前記指紋センサーは、ユーザの指が前記指紋センサー及び前記少なくとも２つの湿度検出電極に触れる場合、前記処理モジュールに指紋信号を出力するためのものであり、
（Ｄ１）前記処理モジュールは、ユーザの指が前記指紋センサー及び前記少なくとも２つの湿度検出電極に触れる場合、特徴値を取得するためのものであり、
　前記特徴値は、前記少なくとも２つの湿度検出電極の間の抵抗値に正相関し、
（Ｄ２１）前記処理モジュールは、更に、前記特徴値に整合される指紋認証パラメータを確定し、
（Ｄ２２）確定された指紋認証パラメータ及び前記指紋信号によって、指紋認証を行うためのものであり、
（Ｄ３１）前記処理モジュールは、更に、前記指紋認証パラメータ及び前記指紋信号によって、指紋画像を生成し、
（Ｄ３２）前記指紋画像に対して特徴を抽出し、特徴情報を取得し、
（Ｄ３３）前記特徴情報を予め保存された特徴情報に整合するためのものである、
（Ａ）ことを特徴とする指紋認証装置。
（２−２）引用文献、引用発明
ア　引用文献１の記載事項
　原査定の拒絶の理由に引用された引用文献１である特開２００３−１８７２３４号公報には、「画像読み取り装置及び画像読み取り方法」（発明の名称）に関し、図面と共に次に掲げる事項が記載されている。
　なお、下線は強調のために当審で付したものである。
（ア）
「【０００１】
【発明の属する技術分野】本発明は、たとえば、恣意的に変化させることが出来ない
人体の生物学的特徴（たとえば、指紋）によって本人認証を行う
認証システム
（略）
【０００３】図１５（ａ）は、指紋認証システム１の簡略構成図である。一般に、
指紋認証システム１は、画像読み取り装置２と指紋照合装置３とを含み
【０００４】
画像読み取り装置２は、
認証対象者４の指紋画像を読み取って、その指紋画像を指紋照合装置３に出力する
指紋照合装置３は、
特徴点抽出方式、すなわち、画像読み取り装置２で読み取られた指紋画像から指紋の特徴点（指紋の端点や分岐点）を抽出し、その特徴点が、あらかじめ登録されている登録者の特徴点情報と一致するか否かを判定して認証対象者４の本人認証を行い
（略）
【００１１】そこで、本発明は、上述した問題点に鑑み、従来の抵抗検知方式の構成を有する画像読み取り装置において、被写体の表面状態に応じて読取感度や画像処理を補正制御することにより、被写体の表面模様を画質の劣化を伴うことなく良好に読み取ることができ、もって、たとえば、指紋照合システムの照合性能改善に寄与することができる画像読み取り装置及び画像読み取り方法を提供することを目的とする。」
（イ）
「【００４０】図５は、
ダブルゲート型フォトセンサを２次元配列して構成されるフォトセンサアレイを備えたフォトセンサシステム
多数のダブルゲート型フォトセンサ１０を
ｎ行×ｍ列（ｎ、ｍは任意の自然数）のマトリクス状に配列したフォトセンサアレイ１００と、
ドレインドライバ１３０と、を有して構成され
（略）
【００４４】次いで、上述したフォトセンサシステムに適用される透明電極層の平面構造について、図面を参照して説明する。図６は、上述した
フォトセンサシステムに適用される透明電極層の平面構造
ダブルゲート型フォトセンサ１０の最上層
に積層形成される透明電極層３０は、上記フォトセンサアレイ１００のマトリクス領域に対応して
形成され、被写体としての指４０の載置面として用いられ
【００４５】
　図６に示すように、
透明電極層３０は、二分割構造（図示の例では櫛歯構造）を有し
左透明電極層３０ａと右透明電極層３０ｂは、互いに微小な間隔で離隔配置されるなどして通常は電気的に分離（絶縁）されており、指４０を載置したときに、その指４０の皮膚抵抗を介して導通状態にされ
【００４６】
　左透明電極層３０ａ及び右透明電極層３０ｂからは、それぞれリード線３１ａ、３１ｂが引き出されており、リード線３１ａ、３１ｂの先端には、図面では便宜的に端子３２ａ、３２ｂが設けられている。左透明電極層３０ａ及び右透明電極層３０ｂは、透明性と導電性とを有する透明導電薄膜（ＩＴＯ等）であり、それぞれ、発明の要旨に記載の第１の導電体及び第２の導電体に対応し、指４０の指紋像を効率よく透過させることができるとともに、指４０の載置時には一対の端子３２ａ、３２ｂの間を指４０の皮膚抵抗に相当する低い抵抗値で導通させることができるものである。ここで、
透明電極層３０（左透明電極層３０ａ及び右透明電極層３０ｂ）は
指４０の載置、接触（タッチ）を検出する機能、載置された指４０の皮膚抵抗を測定する機能、さらに、指に帯電した静電気を放電する機能を有するものであればよい
（略）
【００４８】そして、
指紋読み取り装置による指紋の検出時においては、指４０の皮膚表層４１の半透明層が、フォトセンサアレイ１００の最上層に形成された透明電極層３０に接触することにより、
指４０の画像パターンを明暗情報として読み取ることができ
（ウ）
「【００５３】図８に示すように、本
実施形態に係る２次元画像読み取り装置２００は、
ダブルゲート型フォトセンサ１０を２次元配列して構成されるフォトセンサアレイ１００と、
ダブルゲート型フォトセンサ１０
の
ドレイン電圧の読み出しを行う
ドレインドライバ１３０と、
透明電極層３０（左透明電極層３０ａ及び右透明電極層３０ｂ）上に載置された被写体（指先）の電気的抵抗値を検出して、透明電極層３０への被写体（指４０）の接触検知とその被写体の表面抵抗測定とを行い、電圧に変換して出力する検知回路１４０と、上記ドレインドライバ１３０を介して読み出されたドレイン電圧
、又は、上記検知回路１４０から出力される抵抗値測定信号
のいずれか一方を選択して出力する切替器１５０と、該切替器１５０により選択された信号電圧をデジタル信号に変換して、画像出力信号（画像データ）又は抵抗値信号を生成するアナログ−デジタル変換器
Ａ／Ｄコンバータ
１６０と、所定の制御プログラムにしたがって、フォトセンサアレイ１００による被写体画像の読取動作制御や画像データの照合、加工等の所定の画像処理を実行する外部機能部１９０とのデータのやり取り等を行うとともに、画像読み取り動作や画像処理に関する諸設定を修正又は補正する機能を備えたコントローラ１７０と、
を有して構成され
（略）
【００６４】さらに、
コントローラ１７０には、
ドレインドライバ１３０から出力される出力電圧Ｖout、もしくは、検知回路１４０から出力される抵抗値測定信号のいずれか一方が、Ａ／Ｄコンバータ１６０を介してデジタル信号に変換されて、画像データもしくは抵抗値信号として入力され
【００６５】そして、
コントローラ１７０は、
画像データの照合や加工等の所定の処理を実行する外部機能部１９０に対するインターフェースとしての機能と、抵抗値信号に基づいて、所定の補正テーブルを参照（ルックアップ）して、被写体（指４０）の表面状態（乾き具合や湿り具合）に応じた読取感度の調整、設定や、上記画像データに対するデジタル化処理における閾値の補正及び／又は特徴点抽出における画像処理の補正等を実行する読取画像の適正化機能と、を備え
「【図８】
」
（エ）
「【００８３】＜画像読み取り方法＞次に、上述した構成を有する
画像読み取り装置における駆動制御方法（画像読み取り方法）について
以下に示す一連の処理手順は、
コントローラ１７０により実行され
【００８４】図１３に示すように、本実施形態に係る画像読み取り方法は、まず、
タッチ検知信号がアクティブであるか否か、すなわち、透明電極層３０に被写体である指４０が載置されているか否かを判定する（ステップＳ１１）。
載置されていると判定した場合には、検知回路１４０の
出力電位、すなわち、載置された指４０の皮膚抵抗を表す抵抗値測定信号（抵抗値信号）を読み込む（ステップＳ１２；測定ステップ）
【００８５】次いで、
ＲＯＭ１７５に格納された補正テーブル
を参照し
（ステップＳ１３）、次に、参照、抽出された補正値で
電荷蓄積期間Ｔａを可変設定する（ステップＳ１４；制御ステップ）
（略）
【００８７】
次いで、
上述したステップＳ１３、Ｓ１４において設定された電荷蓄積期間に基づいて、載置された指４０の指紋画像の読み取りを開始する（ステップＳ１５）。そして、指紋画像の一画面分の読み取りが終了した場合には（ステップＳ１６）、読み取られた指紋画像を、指紋照合処理等の所定の画像処理を実行する外部機能部１９０
に出力して（ステップＳ１７）、
（オ）
「【００９３】さらに、
上述した実施形態においては、
予め設定された読取感度（標準状態における電荷蓄積期間）を修正する場合について説明したが、本発明はこれに限定されるものではない
【００９４】たとえば、
予め設定された一定の読取感度で指紋画像を読み込んだ後、測定された皮膚抵抗と標準状態における抵抗値との比較に基づいて、
測定された皮膚抵抗が標準状態における抵抗値に対して、所定値以上異なっていた場合に、上記読み取った指紋画像の画像信号を所定の階調（例えば２５６階調）のデジタル値に変換する際の閾値を補正値に基づいて修正（補正）するものであってもよい
これによれば、
常に一定の読み取り時間で指紋画像を読み取ることができる
イ　引用文献１に記載された発明
（ア）上記ア（ア）段落【００１１】の記載事項から、引用文献１に記載の「画像読み取り装置」は、従来の指紋認証システム１に含まれる画像読み取り装置の課題を解決して、指紋照合システムの照合性能改善に寄与することを目的としているから、引用文献１に記載の画像読み取り装置を含む指紋認証システム１の発明を引用文献１に記載された発明として認定する。
（イ）上記ア（オ）段落【００９３】に、本発明は、上記ア（エ）＜画像読み取り方法＞の実施形態に限定されるものではないと記載があり、同段落【００９４】に「たとえば、・・・であってもよい」と記載があるから、引用文献１に記載の「画像読み取り装置」の画像読み取り方法として、同段落【００９４】の記載事項に基づいて認定する。
（ウ）よって、上記アの記載事項（特に、下線部）によれば、引用文献１には、次の発明（以下、「引用発明」という。）が記載されていると認められる。
　なお、引用発明の各構成の符号は、説明のために当審にて付したものであり、以下、構成ａないし構成ｅと称する。また、【】内は、対応する構成が記載された引用文献１の段落番号を示す。
（引用発明）
（ａ）人体の生物学的特徴（たとえば、指紋）によって本人認証を行う認証システムであって、【０００１】
（ａ１）指紋認証システム１は、画像読み取り装置２と指紋照合装置３とを含み、【０００３】
（ａ２）画像読み取り装置２は、認証対象者４の指紋画像を読み取って、その指紋画像を指紋照合装置３に出力し、指紋照合装置３は、特徴点抽出方式、すなわち、画像読み取り装置２で読み取られた指紋画像から指紋の特徴点（指紋の端点や分岐点）を抽出し、その特徴点が、あらかじめ登録されている登録者の特徴点情報と一致するか否かを判定して認証対象者４の本人認証を行い、【０００４】
（ｂ）ダブルゲート型フォトセンサを２次元配列して構成されるフォトセンサアレイを備えたフォトセンサシステムは、
（ｂ１）多数のダブルゲート型フォトセンサ１０を、ｎ行×ｍ列（ｎ、ｍは任意の自然数）のマトリクス状に配列したフォトセンサアレイ１００と、ドレインドライバ１３０と、を有して構成され、【００４０】
（ｂ２）フォトセンサシステムに適用される透明電極層の平面構造は、ダブルゲート型フォトセンサ１０の最上層に積層形成される透明電極層３０は、上記フォトセンサアレイ１００のマトリクス領域に対応して形成され、被写体としての指４０の載置面として用いられ、【００４４】
（ｂ３）透明電極層３０は、二分割構造（櫛歯構造）を有し、左透明電極層３０ａと右透明電極層３０ｂは、互いに微小な間隔で離隔配置されるなどして通常は電気的に分離（絶縁）されており、指４０を載置したときに、その指４０の皮膚抵抗を介して導通状態にされ、【００４５】
（ｂ４）透明電極層３０（左透明電極層３０ａ及び右透明電極層３０ｂ）は、指４０の載置、接触（タッチ）を検出する機能、載置された指４０の皮膚抵抗を測定する機能、さらに、指に帯電した静電気を放電する機能を有するものであればよく、【００４６】
（ｂ５）指紋読み取り装置による指紋の検出時においては、指４０の皮膚表層４１の半透明層が、フォトセンサアレイ１００の最上層に形成された透明電極層３０に接触することにより、指４０の画像パターンを明暗情報として読み取ることができ、【００４８】
（ｃ）画像読み取り装置の一実施形態に係る２次元画像読み取り装置２００は、
（ｃ１）ダブルゲート型フォトセンサ１０を２次元配列して構成されるフォトセンサアレイ１００と、
（ｃ２）ダブルゲート型フォトセンサ１０のドレイン電圧の読み出しを行うドレインドライバ１３０と、
（ｃ３）透明電極層３０（左透明電極層３０ａ及び右透明電極層３０ｂ）上に載置された被写体（指先）の電気的抵抗値を検出して、透明電極層３０への被写体（指４０）の接触検知とその被写体の表面抵抗測定とを行い、電圧に変換して出力する検知回路１４０と、
（ｃ４）上記ドレインドライバ１３０を介して読み出されたドレイン電圧、又は、上記検知回路１４０から出力される抵抗値測定信号のいずれか一方を選択して出力する切替器１５０と、
（ｃ５）該切替器１５０により選択された信号電圧をデジタル信号に変換して、画像出力信号（画像データ）又は抵抗値信号を生成するアナログ−デジタル変換器（Ａ／Ｄコンバータ）１６０と、
（ｃ６）所定の制御プログラムにしたがって、フォトセンサアレイ１００による被写体画像の読取動作制御や画像データの照合、加工等の所定の画像処理を実行する外部機能部１９０とのデータのやり取り等を行うとともに、画像読み取り動作や画像処理に関する諸設定を修正又は補正する機能を備えたコントローラ１７０と、を有して構成され、【００５３】
（ｃ７）コントローラ１７０には、ドレインドライバ１３０から出力される出力電圧Ｖout、もしくは、検知回路１４０から出力される抵抗値測定信号のいずれか一方が、Ａ／Ｄコンバータ１６０を介してデジタル信号に変換されて、画像データもしくは抵抗値信号として入力され、【００６４】
（ｃ８）コントローラ１７０は、画像データの照合や加工等の所定の処理を実行する外部機能部１９０に対するインターフェースとしての機能と、抵抗値信号に基づいて、所定の補正テーブルを参照（ルックアップ）して、被写体（指４０）の表面状態（乾き具合や湿り具合）に応じた読取感度の調整、設定や、上記画像データに対するデジタル化処理における閾値の補正及び／又は特徴点抽出における画像処理の補正等を実行する読取画像の適正化機能と、を備え、【００６５】
（ｄ）画像読み取り装置における駆動制御方法（画像読み取り方法）について、以下に示す一連の処理手順は、コントローラ１７０により実行され、【００８３】
（ｄ１）タッチ検知信号がアクティブであるか否か、すなわち、透明電極層３０に被写体である指４０が載置されているか否かを判定し（ステップＳ１１）、【００８４】
（ｄ２）載置されていると判定した場合には、検知回路１４０の出力電位、すなわち、載置された指４０の皮膚抵抗を表す抵抗値測定信号（抵抗値信号）を読み込み（ステップＳ１２；測定ステップ）、【００８４】
（ｄ３）ＲＯＭ１７５に格納された補正テーブルを参照し（ステップＳ１３）、次に、参照、抽出された補正値で電荷蓄積期間Ｔａを可変設定し（ステップＳ１４；制御ステップ）、【００８５】
（ｄ４）次いで、上述したステップＳ１３、Ｓ１４において設定された電荷蓄積期間に基づいて、載置された指４０の指紋画像の読み取りを開始し（ステップＳ１５）、【００８７】
（ｄ５）指紋画像の一画面分の読み取りが終了した場合には（ステップＳ１６）、読み取られた指紋画像を、指紋照合処理等の所定の画像処理を実行する外部機能部１９０に出力し（ステップＳ１７）、【００８７】
（ｅ）上述した実施形態においては、予め設定された読取感度（標準状態における電荷蓄積期間）を修正する場合について説明したが、本発明はこれに限定されるものではなく、【００９３】
（ｅ１）予め設定された一定の読取感度で指紋画像を読み込んだ後、測定された皮膚抵抗と標準状態における抵抗値との比較に基づいて、測定された皮膚抵抗が標準状態における抵抗値に対して、所定値以上異なっていた場合に、上記読み取った指紋画像の画像信号を所定の階調（例えば２５６階調）のデジタル値に変換する際の閾値を補正値に基づいて修正（補正）するものであってもよい、【００９４】
（ａ）指紋認証システム１。
（２−３）本件補正発明と引用発明との対比
ア　構成Ａについて
　構成ｂの「ダブルゲート型フォトセンサ１０を２次元配列して構成されるフォトセンサアレイ」は、「指４０の画像パターンを明暗情報として読み取る」（構成ｂ５）センサーであり、当該「指４０の画像パターンの明暗情報」は、構成ａ、ａ１、ａ２より指紋といえるから、構成Ａの「指紋センサー」に相当する。
　また、構成ｂ２〜ｂ４の「透明電極層３０」は、互いに微小な間隔で離隔配置された左透明電極層３０ａ及び右透明電極層３０ｂを有するから、「２つの電極」といえ、また、載置された指４０の皮膚抵抗を測定するものであり、当該皮膚抵抗の抵抗値は、被写体（指４０）の表面状態（乾き具合や湿り具合）に応じた補正（構成ｃ８及び構成ｅ１）の処理に用いられるから、指の乾き具合や湿り具合を検出する機能を有する電極、すなわち、「湿度検出」に用いられる電極といえる。
　よって、構成ｂ２〜ｂ４の「透明電極層３０」は、構成Ａの「少なくとも２つの湿度検出電極」に相当する。
　さらに、構成ｃ６〜構成ｃ８、構成ｄの「コントローラ１７０」は、「所定の制御プログラムにしたがって」、「一連の処理手順を実行」するものであるから、構成Ａの「処理モジュール」に相当する。
　引用発明は、構成ｃ、ｃ１、ｃ８、ａ１によれば、「ダブルゲート型フォトセンサ１０を２次元配列して構成されるフォトセンサアレイ」、「透明電極層３０（左透明電極層３０ａ及び右透明電極層３０ｂ）」、「コントローラ１７０」を備える「画像読み取り装置」を含む「指紋認証システム１」であるから、構成Ａの「指紋センサー、少なくとも２つの湿度検出電極、及び処理モジュールを備える指紋認証装置」に相当する。
　したがって、本件補正発明と引用発明は、構成Ａで一致する。
イ　構成Ｂ１、Ｂ２について
　上記アのとおり、構成ｂの「ダブルゲート型フォトセンサを２次元配列して構成されるフォトセンサアレイ」は、構成Ｂ１及びＢ２の「指紋センサー」に相当する。
　構成ｂの「ダブルゲート型フォトセンサを２次元配列して構成されるフォトセンサアレイ」は、ドレインドライバ１３０（構成ｃ２）と切替器１５０（構成ｃ４）とＡ／Ｄコンバータ１６０（構成ｃ５）を介してコントローラ１７０と接続している（構成ｃ７）から、引用発明は、構成Ｂ１に相当する構成を有している。
　構成ｂの「ダブルゲート型フォトセンサを２次元配列して構成されるフォトセンサアレイ」は、構成ｂ２によると、「最上層に積層形成される透明電極層３０」を有し、構成ｂ５によると、「指４０の皮膚表層４１の半透明層が、・・・透明電極層３０に接触することにより、指４０の画像パターンを明暗情報として読み取ることができ」るものであるから、「ユーザの指が前記指紋センサー及び前記少なくとも２つの湿度検出電極に触れる場合」に、画像パターンを読み取るものといえる。
　また、構成ｂ５の「フォトセンサアレイ」が明暗情報として読み取る「指４０の画像パターン」は、構成ｃ５によれば、Ａ／Ｄコンバータ１６０がデジタル信号に変換した「画像出力信号（画像データ）」を生成し、構成ｃ７によれば、当該「画像データ」としてコントローラ１７０に入力されるものであるから、「処理モジュール」に、画像パターンを出力するものといえる。
　そして、構成ｂ５の「フォトセンサアレイ」が明暗情報として読み取る「指４０の画像パターン」は、構成ｄ及び構成ｅによれば、画像読み取り装置における画像読み取り方法において、「指４０の指紋画像」（構成ｄ４）及び「指紋画像の画像信号」（構成ｅ１）として処理されるものであるから、「指紋信号」といえる。
　以上のことから、構成ｂの「ダブルゲート型フォトセンサ１０を２次元配列して構成されるフォトセンサアレイ」は、構成Ｂ２の「ユーザの指が前記指紋センサー及び前記少なくとも２つの湿度検出電極に触れる場合、前記処理モジュールに指紋信号を出力するためのもの」であることに相当し、引用発明は、構成Ｂ２に相当する構成を有している。
　したがって、本件補正発明と引用発明は、構成Ｂ１及びＢ２で一致する。
ウ　構成Ｃ１、Ｃ２について
　上記アのとおり、構成ｂの「透明電極層３０」は、構成Ｃ１及びＣ２の「少なくとも２つの湿度検出電極」に相当する。
　構成ｂの「透明電極層３０」は、検知回路１４０（構成ｃ３）と切替器１５０（構成ｃ４）とＡ／Ｄコンバータ１６０（構成ｃ５）を介してコントローラ１７０と接続している（構成ｃ７）から、構成Ｃ１に相当する構成を有している。
　上記アのとおり、構成ｂ２の「フォトセンサ１０を２次元配列して構成されるフォトセンサアレイ」は、構成Ｃ２の「指紋センサー」に相当する。
　構成ｂの「透明電極層３０」は、構成ｂ２によると、「ダブルゲート型フォトセンサ１０の最上層に積層形成され」、「フォトセンサアレイ１００のマトリクス領域に対応して形成され」るものであり、このように形成される領域は、「指紋センサーの予め設定された範囲」の位置といえる。
　以上のことから、構成ｂの「透明電極層３０」は、構成Ｃ２の「前記少なくとも２つの湿度検出電極は、前記指紋センサーの予め設定された範囲に位置」することに相当し、引用発明は、構成Ｃ２に相当する構成を有している。
　したがって、本件補正発明と引用発明は、構成Ｃ１及びＣ２で一致する。
オ　構成Ｄ１について
　上記アのとおり、構成ｂの「透明電極層３０」は、構成Ｄ１の「少なくとも２つの湿度検出電極」に相当する。
　また、構成ｂの「透明電極層３０」は、構成ｂ４によると、「載置された指４０の皮膚抵抗を測定する機能」を有するものであるから、「ユーザの指が前記指紋センサー及び前記少なくとも２つの湿度検出電極に触れる場合」に、「載置された指４０の皮膚抵抗」を出力するものといえる。
　構成ｂ３及び構成ｂ４の「皮膚抵抗」は、構成ｂ３及び構成ｃ３によれば、「互いに微小な間隔で離隔配置されるなどして通常は電気的に分離（絶縁）されて」いる左透明電極層３０ａと右透明電極層３０ｂ上に載置された「被写体（指先）の電気的抵抗値」を検出したものであるから、構成Ｄ１の「少なくとも２つの湿度検出電極の間の抵抗値」に相当する。
　構成ｃ５の「抵抗値信号」は、構成ｃ３の「載置された被写体（指先）の電気的抵抗値」を、構成ｃ５のＡ／Ｄコンバータ１６０がデジタル信号に変換して生成した「抵抗値信号」であるから、「電気的抵抗値」に「正相関」しているといえ、構成Ｄ１の「特徴値」に相当する。
　構成ｃ７の「コントローラ１７０」は、構成ｃ５の「抵抗値信号」を入力するものである（構成ｃ７）から、「特徴値を取得する」といえる。
　以上のことから、構成ｃ７の「コントローラ１７０」は、構成Ｄ１の「ユーザの指が前記指紋センサー及び前記少なくとも２つの湿度検出電極に触れる場合、特徴値を取得するためのもの」に相当する。
　したがって、本件補正発明と引用発明は、構成Ｄ１で一致する。
カ　構成Ｄ２１〜Ｄ３３ついて
　構成ｅの「上述した実施形態」における「予め設定された読取感度（標準状態における電荷蓄積期間）を修正する場合」とは、構成ｄ３の「電荷蓄積期間Ｔａを可変設定」するステップＳ１３及びＳ１４を意味しており、引用発明は、この構成に代えて構成ｅ１の構成を備えるものである。
　上記オのとおり、構成ｅ１の「測定された皮膚抵抗」は、構成Ｄ２１の「特徴値」に相当する。
　構成ｅ１の「上記読み取った指紋画像の画像信号を所定の階調（例えば２５６階調）のデジタル値に変換する際の閾値」における「画像信号」は、構成ｄ５によれば、外部機能部１９０が実行する指紋照合処理に用いられる画像信号であるから、該画像信号を変換する際の上記「閾値」は、「指紋認証パラメータ」といえる。
　そして、この「閾値」を、「測定された皮膚抵抗と標準状態における抵抗値との比較に基づいて、測定された皮膚抵抗が標準状態における抵抗値に対して、所定値以上異なっていた場合に」、「補正値に基づいて修正（補正）する」ことは、構成Ｄ２１の「特徴値に整合される指紋認証パラメータを確定」することに相当する。
　また、構成ｅ１の「読み取った指紋画像の画像信号を所定の階調（例えば２５６階調）のデジタル値に変換する」ことは、構成Ｄ３１の「前記指紋認証パラメータ及び前記指紋信号によって、指紋画像を生成」することに相当する。
　さらに、構成ｅ１の処理は、構成ｄ３の電荷蓄積期間の修正と同様に、「コントローラ１７０」により実行されるものである。
　したがって、本件補正発明と引用発明は、「処理モジュール」について、
「（Ｄ２１）前記処理モジュールは、更に、前記特徴値に整合される指紋認証パラメータを確定し、
（Ｄ３１）前記処理モジュールは、更に、前記指紋認証パラメータ及び前記指紋信号によって、指紋画像を生成し」という構成を有している点で共通する。
　しかしながら、「処理モジュール」について、本件補正発明は、
「（Ｄ２２）確定された指紋認証パラメータ及び前記指紋信号によって、指紋認証を行うためのものであり、
（Ｄ３２）前記指紋画像に対して特徴を抽出し、特徴情報を取得し、
（Ｄ３３）前記特徴情報を予め保存された特徴情報に整合するためのものである」
のに対し、引用発明は、そのような構成を有していない点で、両者は相違する。
キ　一致点、相違点
　以上をまとめると、本件補正発明と引用発明の一致点及び相違点は、次のとおりである。
［一致点］
（Ａ）指紋センサー、少なくとも２つの湿度検出電極、及び処理モジュールを備える指紋認証装置であって、
（Ｂ１）前記指紋センサーは、前記処理モジュールに接続され、
（Ｃ１）前記少なくとも２つの湿度検出電極は、前記処理モジュールに接続され、
（Ｃ２）前記少なくとも２つの湿度検出電極は、前記指紋センサーの予め設定された範囲に位置し、
（Ｂ２）前記指紋センサーは、ユーザの指が前記指紋センサー及び前記少なくとも２つの湿度検出電極に触れる場合、前記処理モジュールに指紋信号を出力するためのものであり、
（Ｄ１）前記処理モジュールは、ユーザの指が前記指紋センサー及び前記少なくとも２つの湿度検出電極に触れる場合、特徴値を取得するためのものであり、前記特徴値は、前記少なくとも２つの湿度検出電極の間の抵抗値に正相関し、
（Ｄ２１）前記処理モジュールは、更に、前記特徴値に整合される指紋認証パラメータを確定し、
（Ｄ３１）前記処理モジュールは、更に、前記指紋認証パラメータ及び前記指紋信号によって、指紋画像を生成するためのものである、
（Ａ）ことを特徴とする指紋認証装置。
［相違点］
　「処理モジュール」について、本件補正発明は、
「（Ｄ２２）確定された指紋認証パラメータ及び前記指紋信号によって、指紋認証を行うためのものであり、
（Ｄ３２）前記指紋画像に対して特徴を抽出し、特徴情報を取得し、
（Ｄ３３）前記特徴情報を予め保存された特徴情報に整合するためのものである」
のに対し、引用発明は、そのような構成を有していない点
（２−４）判断
　引用発明は、構成ｄ５によれば、指紋画像を、「指紋照合処理等の所定の画像処理を実行する外部機能部１９０」に出力するものであり、当該「外部機能部」である構成ａ２の「指紋照合装置３」が、「画像読み取り装置２で読み取られた指紋画像から指紋の特徴点（指紋の端点や分岐点）を抽出し、その特徴点が、あらかじめ登録されている登録者の特徴点情報と一致するか否かを判定して認証対象者４の本人認証を行」う処理を実行する。
　構成ａ２の「指紋画像から指紋の特徴点（指紋の端点や分岐点）を抽出」は、構成Ｄ３２の「前記指紋画像に対して特徴を抽出」に相当する。
　構成ａ２の「その特徴点が、あらかじめ登録されている登録者の特徴点情報と一致するか否かを判定」は、構成Ｄ３３の「特徴情報を予め保存された特徴情報に整合する」に相当する。
　構成ａ２の「指紋画像から」「認証対象者４の本人認証を行」うことは、構成Ｄ３１の「確定された指紋認証パラメータ及び前記指紋信号によって、指紋認証を行う」ことに相応する。
　引用発明のコントローラ１７０及び外部機能部１９０は、指紋によって本人認証を行う認証システムにおける指紋認証を行うために必要な処理を協働して行うものであるといえる。
　一方、協働して行う複数の処理を１つの一体化したシステムで行うことは、処理や構成の効率等を考慮してシステムの設計をする際に当業者が普通に考えることであるから、引用発明において、コントローラ１７０及び外部機能部１９０が協働して行う指紋認証を行うために必要な処理を、コントローラ１７０で一体として行うようにすることは当業者が容易に想到し得ることであり、そのことを阻害する要因もない。
　よって、引用発明において、コントローラ１７０が、外部機能部１９０が実行する指紋照合処理を一体で行うようにすることで、
「処理モジュール」について、
「（Ｄ２２）確定された指紋認証パラメータ及び前記指紋信号によって、指紋認証を行うためのものであり、
（Ｄ３２）前記指紋画像に対して特徴を抽出し、特徴情報を取得し、
（Ｄ３３）前記特徴情報を予め保存された特徴情報に整合するためのものである」
ように構成することは、当業者が容易に想到し得ることである。
　また、本件補正発明が奏する効果は、上記容易想到である構成から当業者が予測し得るものである。
（２−５）独立特許要件についてのまとめ
　以上のとおりであるから、本件補正発明は、引用文献１に記載された発明に基づいて当業者が容易に発明をすることができたものであり、特許法第２９条第２項の規定により、特許出願の際独立して特許を受けることができないものである。
３　本件補正についてのむすび
　よって、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、上記補正の却下の決定の結論のとおり決定する。
第３　本願発明について
１　本願発明
　令和１年７月３０日の手続補正は上記のとおり却下されたので、本願の請求項に係る発明は、平成２９年２月１５日付け手続補正書により補正された特許請求の範囲の請求項１ないし１４に記載された事項により特定されるものであるところ、その請求項５に係る発明（以下、「本願発明」という。）は、以下のとおりである。
（本願発明）
　　【請求項１】
　指紋センサー、少なくとも２つの湿度検出電極、及び処理モジュールを備える指紋認証装置であって、
　前記指紋センサーは、前記処理モジュールに接続され、前記少なくとも２つの湿度検出電極は、前記処理モジュールに接続され、前記少なくとも２つの湿度検出電極は、前記指紋センサーの予め設定された範囲に位置し、
　前記指紋センサーは、ユーザの指が前記指紋センサー及び前記少なくとも２つの湿度検出電極に触れる場合、前記処理モジュールに指紋信号を出力するためのものであり、
　前記処理モジュールは、ユーザの指が前記指紋センサー及び前記少なくとも２つの湿度検出電極に触れる場合、特徴値を取得するためのものであり、前記特徴値は、前記少なくとも２つの湿度検出電極の間の抵抗値に正相関し、
　前記処理モジュールは、更に、前記特徴値に整合される指紋認証パラメータを確定し、確定された指紋認証パラメータ及び前記指紋信号によって、指紋認証を行うためのものである、ことを特徴とする指紋認証装置。
　　【請求項５】
　前記処理モジュールは、更に、前記指紋認証パラメータ及び前記指紋信号によって、指紋画像を生成し、前記指紋画像に対して特徴を抽出し、特徴情報を取得し、前記特徴情報を予め保存された特徴情報に整合するためのものであることを特徴とする請求項１に記載の指紋認証装置。
２　原査定における拒絶の理由
　原査定の拒絶の理由は、この出願の請求項１、２、４−１４に係る発明は、本願の出願日前に日本国内又は外国において、頒布された又は電気通信回線を通じて公衆に利用可能となった以下の引用文献１に記載された発明に基づいて、その出願前にその発明の属する技術の分野における通常の知識を有する者が容易に発明をすることができたものであるから、特許法第２９条第２項の規定により特許を受けることができない、というものである。
引用文献１．特開２００３−１８７２３４号公報
３　判断
　本願発明は、引用形式の記載を独立形式の記載とすると、上記「第２　２（２）独立特許要件について」で検討した本件補正発明と同じものである。
　したがって、上記「第２　２（２）（２−５）」により、本願発明は、引用文献１に記載された発明に基づいて当業者が容易に発明をすることができたものである。
第４　むすび
　以上のとおり、本願の請求項５に係る発明は、引用文献１に記載された発明に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。